(57)【要約】【課題】  容易に製造できて、安定して自立可能な自立式養生パネルを提供する。【解決手段】  本発明に係る自立式養生パネル１は、１枚の板状部材２からなる自立式養生パネル１であって、養生面２１を覆う養生部１１と、養生部１１を支持する脚部１２と、一方の板面２ａに設けられ養生部１１及び脚部１２を区画する切り込み部１３とを備え、養生部１１に対して、切り込み部１３が設けられた面２ａと反対側に脚部１２が折り曲げられている。【選択図】  図４
2013122139.tif 000002
【特許請求の範囲】
【請求項１】
１枚の板状部材からなる自立式養生パネルであって、
養生面を覆う養生部と、
前記養生部を支持する脚部と、
一方の板面に設けられ前記養生部及び前記脚部を区画する切り込み部とを備え、
前記養生部に対して、前記切り込み部が設けられた面と反対側に前記脚部が折り曲げられる自立式養生パネル。
【請求項２】
前記切り込み部は、前記板状部材の下端から前記板状部材の上下方向の長さの略９分の１の位置に設けられる請求項１に記載の自立式養生パネル。
【請求項３】
前記板状部材は、熱可塑性樹脂で形成されている請求項１又は２に記載の自立式養生パネル。
【請求項４】
前記切り込み部は、板面に熱罫線を設けることにより形成される請求項１〜３のいずれかに記載の自立式養生パネル。
【請求項５】
１枚の板状部材からなり、養生面を覆う養生部、前記養生部を支持する脚部、及び一方の板面に設けられ前記養生部と前記脚部とを区画する切り込み部を備える自立式養生パネルを準備するステップと、
前記養生部に対して、前記切り込み部が設けられた面と反対側に前記脚部を折り曲げて、前記養生部を養生面に立てかけるステップとを備える自立式養生パネルの施工方法。
【発明の詳細な説明】
【技術分野】
【０００１】
本発明は、自立式養生パネル及びその施工方法に関するものである。
【背景技術】
【０００２】
従来から、建物内への荷物や資材等の搬出入又は建物内での荷物や資材等の移送の際には、建物の出入口のドア、壁、柱等を運搬中の荷物や資材等の衝突による破損から保護するために、養生パネルが取り付けられる。
【０００３】
この養生パネルとして、例えば、特許文献１では、１枚の板状部材の一方の板面に切り込み部を形成し、切り込み部を挟んで覆板部と座部とを一体に有するものが提案されている。切り込み部は、板面を左右から４５°の角度で切り取ることでＶ字型に形成されており、座部を、切り込み部が形成された面側に、Ｖ字型の切り込み部の対向する面を互いに突き合わせて９０°に折り曲げることで、建物の壁等を覆う覆板部が座部により支持されて床上に自立可能に設置される。
【先行技術文献】
【特許文献】
【０００４】
【特許文献１】特開２００１−３１１２３６号公報
【発明の概要】
【発明が解決しようとする課題】
【０００５】
しかしながら、特許文献１に記載された養生パネルは、切り込み部が形成された面側に座部を折り曲げて覆板部を自立させる構成であるため、覆板部の長さが長くなると、覆板部の上部が壁面と反対側に倒れて撓む恐れがあり、安定して覆板部を自立させることができないという問題が生じていた。よって、覆板部が壁面と反対側に倒れるのを防止するためには、桟を設けておく必要があり、養生パネルの製造に手間が掛かるという問題が生じていた。さらに、覆板部と座部とのなす角が９０°になるように切り込み部を形成する必要があり、切り込み部の形成にも手間が掛かるという問題が生じていた。
【０００６】
本発明は、上記課題を解決するためになされたものであり、容易に製造できて、安定して自立可能な自立式養生パネルを提供する。
【課題を解決するための手段】
【０００７】
本発明に係る自立式養生パネルは、１枚の板状部材からなる自立式養生パネルであって、養生面を覆う養生部と、前記養生部を支持する脚部と、一方の板面に設けられ前記養生部及び前記脚部を区画する切り込み部とを備え、前記養生部に対して、前記切り込み部が設けられた面と反対側に前記脚部が折り曲げられている。
【０００８】
上記自立式養生パネルにおいて、前記切り込み部は、前記板状部材の下端から前記板状部材の上下方向の長さの略９分の１の位置に設けることができる。
【０００９】
また、上記自立式養生パネルにおいて、前記板状部材は、熱可塑性樹脂で形成されることができる。
【００１０】
また、上記自立式養生パネルにおいて、前記切り込み部は、板面に熱罫線を設けることにより形成することができる。
【００１１】
さらに、本発明に係る自立式養生パネルの施工方法は、１枚の板状部材からなり、養生面を覆う養生部、前記養生部を支持する脚部、及び一方の板面に設けられ前記養生部と前記脚部とを区画する切り込み部を備える自立式養生パネルを準備するステップと、前記養生部に対して、前記切り込み部が設けられた面と反対側に前記脚部を折り曲げて、前記養生部を養生面に立てかけるステップとを備えている。
【発明の効果】
【００１２】
本発明に係る自立式養生パネルによれば、容易に製造できると共に、安定して自立させることができる。
【図面の簡単な説明】
【００１３】
【図１】本発明に係る自立式養生パネルの一実施形態を示す正面図である。
【図２】図１の自立式養生パネルの切り込み部の拡大斜視図である。
【図３】図１の自立式養生パネルの斜視図である。
【図４】図１の自立式養生パネルの折り曲げた状態を示す斜視図である。
【図５】図１の自立式養生パネルを折り曲げた状態での切り込み部の拡大斜視図である。
【図６】図１の自立式養生パネルの施工状態を示す斜視図である。
【発明を実施するための形態】
【００１４】
以下、本発明に係る自立式養生パネルの一実施形態について、添付図面を参照して説明する。
【００１５】
本実施形態の自立式養生パネル１は、主として、建物内への荷物や資材等の搬出入又は建物内での荷物や資材等の移送の際に、建物の壁面等の養生面を養生する、すなわち、保護するために使用されるものである。図１に示すように、自立式養生パネル１は、１枚の板状部材２からなり、使用時に養生面を覆う養生部１１、養生部１１を支持する脚部１２、及び養生部１１と脚部１２とを区画する切り込み部１３を一体に有している。板状部材２は、平面視長方形状であり、例えば、長さ（Ｌ）１８００ｍｍ、幅（Ｗ）９００ｍｍ、厚み（Ｔ）３ｍｍの大きさを有している。また、板状部材２は、図２に示すように、例えば、ポリプロピレン樹脂等の熱可塑性樹脂を使用して、中空成形により成形されている。
【００１６】
切り込み部１３は、図１〜図３に示すように、断面視Ｖ字型のものであり、板状部材２の一方の板面２ａにおいて、板状部材２の長手方向の一方の端部からの長さ（Ｌｌ）が２００ｍｍとなる位置に、直線状に形成されている。発明に際しての検証の結果、この位置に切り込み部１３を設けることにより、脚部としての機能を十分に有しつつも、脚部の長さが過剰なものとはならず、結果として、その脚部に作業者が躓く等の弊害を防止することができる。切り込み部１３の形成方法としては、板面２ａに刃物等を深く入れてＶ字状に切り取る方法、又は、板面２ａに熱罫線を設ける方法等、種々の方法を用いることができる。例えば、切り込み部１３を、熱罫線を設けることにより形成する、具体的には、板面２ａにＶ字型の切り込みを入れる形で直線を引き、その上から、高温度のＶ字バーをプレスして、板状部材２を熱で溶解（熱融着）することにより形成することで、熱可塑性樹脂からなる板状部材２によりきれいな切り込み部１３を形成することができ、脚部１２を養生部１１に対してスムーズに折り曲げることができる。
【００１７】
脚部１２は、使用時に、切り込み部１３の中央の折り曲げ線１４で、養生部１１に対して略直角に折り曲げられることで、養生部１１を支持して床面上に自立可能としている。本実施形態の自立式養生パネル１では、この脚部１２を養生部１１に対して、切り込み部１３が形成された板面２ａとは反対側に折り曲げることに特徴を有している。
【００１８】
次に、図１〜図６を参照して、本実施形態の自立式養生パネル１の施工方法について説明する。まず、図１〜図３に示された平板状の自立式養生パネル１を準備し、次に、養生部１１に対して、切り込み部１３が設けられた板面２ａと反対側（図３の矢印Ａの方向）に脚部１２を折り曲げて、図４に示すような、養生部１１と脚部１２とがほぼ９０°をなす状態を形づくる。その後、図６に示すように、脚部１２を床面２２に載置し、保護すべき壁面等の養生面２１に養生部１１を立てかける。これを複数の自立式養生パネル１について繰り返し行い、養生面２１に対して隙間なく自立式養生パネル１を施工する。これにより、保護が必要な養生面２１が自立式養生パネル１に覆われ、養生面２１に傷が付くのを防止すると共に、養生面２１を保護することができる。
【００１９】
以上のように、本実施形態の自立式養生パネル１では、養生部１１に対して、切り込み部１３が設けられた板面２ａと反対側に脚部１２を折り曲げているため、従来技術のような切り込み部１３が設けられる板面２ａ側に脚部１２を折り曲げた場合と比較して、切り込み部１３（曲げ部分）に生じる折り曲げに抗する反発力が強くなる。すなわち、自立式養生パネル１に、元の平板状へと戻ろうとする復元力が大きく働き、養生部１１に、養生面２１に向かう力が発生する。この力により、養生部１１が養生面２１により支持されることとなり、養生部１１は、養生面２１と反対方向に倒れる恐れがなく、安定して自立可能となる。このように、本実施形態の自立式養生パネル１では、養生部１１が養生面２１と反対方向に倒れることを防止するための特別な構成が不要であり、自立可能な自立式養生パネル１を容易に製造することができる。
【００２０】
また、本実施形態の自立式養生パネル１では、養生部１１に対して、切り込み部１３が設けられた板面２ａと反対側に脚部１２を折り曲げている。そのため、従来技術のように、例えば、図２に示すような、養生部１１と脚部１２とのなす角（θ）が９０°となるような切り込み部を形成する必要がなく、単にＶ字型の切り込みが入れられていればよい。そのため、切り込み部１３の形成が容易になり、ひいては、自立式養生パネル１の製造が容易になる。
【００２１】
さらに、本実施形態の自立式養生パネル１は、テープ等の固定具を使用しなくても養生面２１に支えられて自立するため、自立式養生パネル１の施工において、テープ等を貼る手間が省け、工数が削減できるとともに、テープによる糊残り又は壁面剥離等の養生面２１への悪影響も防止することができる。なお、例えば、屋外に自立式養生パネル１を施工する場合等、自立式養生パネル１が風等により飛ばされる恐れがあるような場合には、必要に応じてテープ等を用いて、自立式養生パネル１を固定することもできる。
【００２２】
以上、本発明の一実施形態について説明したが、本発明はこの実施形態に限定されるものではなく、その趣旨を逸脱しない限りにおいて、種々の変更が可能である。例えば、上記実施形態では、板状部材２として、長さ（Ｌ）１８００ｍｍ、幅（Ｗ）９００ｍｍ、厚み（Ｔ）３ｍｍの大きさのものを使用したが、この大きさに限られることはなく、必要に応じて任意の大きさとすることができる。また、板状部材２は、プラスチック板に限られず、紙製段ボールやベニア板等を使用することもできる。
【００２３】
また、上記実施形態では、自立式養生パネル１を、長手方向を上下方向として使用し、下端から２００ｍｍの位置、すなわち、下端から９分の１の位置に切り込み部１３を設けたが、切り込み部１３を設ける位置は、この位置に限られず、任意の位置とすることができる。さらに、自立式養生パネル１を、長手方向を横方向として使用することもできる。これにより、例えば、長い通路等を施工する場合に、少ない数の自立式養生パネル１で、広い範囲を覆うことができる。
【符号の説明】
【００２４】
１      自立式養生パネル
２      板状部材
２ａ    板面
１１    養生部
１２    脚部
１３    切り込み部
２１    養生面
【図１】
2013122139.tif 000003
【図２】
2013122139.tif 000004
【図３】
2013122139.tif 000005
【図４】
2013122139.tif 000006
【図５】
2013122139.tif 000007
【図６】
2013122139.tif 000008